(57)【要約】【課題】極めて安価、簡易にアンテナを得る。【解決手段】画像形成装置は、操作パネル、用紙を搬送する搬送ユニット、導体インクを吐出して搬送ユニットにより搬送される用紙にアンテナを印刷する画像形成部を含む。【選択図】図４
2017195526.tif 000002
【特許請求の範囲】
【請求項１】
操作パネルと、
用紙を搬送する搬送部と、
導体インクを吐出して前記搬送部により搬送される用紙にアンテナを印刷する画像形成部と、を含むことを特徴とする画像形成装置。
【請求項２】
周囲を飛び交う電磁波の状況を計測する計測機器を含み、
前記操作パネルは、前記計測機器の計測に基づき、電磁波の各周波数の振幅を表示する表示パネルを含み、
前記操作パネルは前記表示パネルに表示された各周波数のうち何れかの周波数を選択する入力を受け付け、
更に、前記操作パネルで選択された周波数に対応する前記アンテナの長さを決定し、決定した長さの前記アンテナを前記画像形成部に印刷させる制御部を含むことを特徴とする請求項１に記載の画像形成装置。
【請求項３】
通信相手と通信を行う通信部を含み、
前記通信部は、周囲を飛び交う電磁波の状況を計測する携帯計測機器の計測結果を受信し、
前記操作パネルは、前記携帯計測機器で計測に基づき、電磁波の各周波数の振幅を表示する表示パネルを含み、
前記操作パネルは前記表示パネルに表示された各周波数のうち何れかの周波数を選択する入力を受け付け、
更に、前記操作パネルで選択された周波数に対応する前記アンテナの長さを決定し、決定した長さの前記アンテナを前記画像形成部に印刷させる制御部を含むことを特徴とする請求項１に記載の画像形成装置。
【請求項４】
前記画像形成部は、決定した前記アンテナの長さが前記アンテナを印刷する用紙よりも長いとき、複数枚の用紙にわたって決定した長さの前記アンテナを印刷することを特徴とする請求項２又は３に記載の画像形成装置。
【請求項５】
機器の種類ごとに、前記アンテナが印刷された用紙を貼り付けて電磁波を吸収するためのアンテナのパターンを定めたパターンデータを記憶する記憶部を含み、
前記操作パネルは、前記機器の種類の選択を受け付け、
前記画像形成部は、前記パターンデータに基づき、前記操作パネルで選択された前記機器の種類に対応する前記パターンの前記アンテナを印刷することを特徴とする請求項１乃至４の何れか１項に記載の画像形成装置。
【請求項６】
前記画像形成部は、抵抗体インクを用いて前記アンテナの端部とつながる位置に抵抗負荷パターンを形成することを特徴とする請求項１乃至５の何れか１項に記載の画像形成装置。
【請求項７】
前記画像形成部は、前記アンテナを印刷したとき、前記アンテナを印刷した用紙又は別の用紙に、グランドに接続するためのケーブルを、前記導体インクを用いて印刷することを特徴とする請求項１乃至６の何れか１項に記載の画像形成装置。
【請求項８】
前記操作パネルは、前記アンテナを印刷する位置を定める設定を受け付け、
前記画像形成部は、前記操作パネルで設定された位置に前記アンテナを印刷することを特徴とする請求項１乃至７の何れか１項に記載の画像形成装置。
【請求項９】
前記搬送部は、前記用紙の代わりに透明シートを搬送し、
前記画像形成部は、前記導体インクを吐出して前記搬送部により前記用紙に変えて搬送される前記透明シートに前記アンテナを印刷することを特徴とする請求項１乃至８の何れか１項に記載の画像形成装置。
【発明の詳細な説明】
【技術分野】
【０００１】
本発明は、プリンタ、複写機、複合機、ファクシミリ装置のような画像形成装置に関する。
【背景技術】
【０００２】
周囲（空気中）には様々な電磁波（電波を含む）が飛び交っている。飛び交う電磁波の中には、不要な電磁波が含まれている。不要な電磁波を利用する技術の一例が特許文献１に記載されている。
【０００３】
具体的に、特許文献１には、蓄電池と、コンデンサとアンテナに付設された巻線コイル
の回路定数で決まる共振周波数の電波を捕捉する共振回路と、共振回路から出力される共振電圧を整流して蓄電池を充電する整流回路と、を備えた携帯型電子機器用電源装置が記載されている。この構成により、空中に飛来している電波を捕捉してコンデンサの両端に共振電圧を生じさせ蓄電池に供給することにより、そのエネルギーを利用して、自動的に駆動用電源としての蓄電池を充電しようとする（特許文献１：請求項１、段落［０００４］、要約等参照）。
【先行技術文献】
【特許文献】
【０００４】
【特許文献１】特開平１０−２９５０４３号公報
【発明の概要】
【発明が解決しようとする課題】
【０００５】
周囲（空気中）を飛び交う電磁波（電波を含む）の受信にはアンテナが用いられる。アンテナには、受信したい周波数に応じた長さの導電性金属を複数本組み合わせたものや、金属芯にコイルを巻いたものなどが用いられている。また、電磁波をアンテナで吸収することにより、不要な周波数の電磁波を吸収することもできる。アンテナの作成には材料の調達、加工、組み立てが必要であり、アンテナを得ることは容易ではなく、大きなコストと手間がかかるという問題がある。
【０００６】
更に、所望の周波数の電磁波を効率よく受信したい場合、所望の周波数に適合する長さのアンテナを自作するか、所望の周波数に適合する市販のアンテナを探すことが必要である。そのため、所望の周波数の電磁波を効率よく受けるアンテナを得るには、大きな手間とコストがかかるという問題がある。
【０００７】
ここで、特許文献１には、共振周波数に合致する電磁波を吸収し、充電する技術が記載されている。しかし、所望の特性を有するアンテナを得るには、十分な計算、誤りの無い設計、材料の調達、加工、組み立てが必要である。アンテナを得るには大きなコスト、手間がかかるという問題を解決するものではない。
【０００８】
本発明は、上記の課題に鑑み、使い捨てできるほど、安価、簡易にアンテナを得ることを課題とする。
【課題を解決するための手段】
【０００９】
上記課題を解消するために、請求項１記載の画像形成装置（複合機）は、操作パネル、搬送部、画像形成部を含む。前記搬送部は、用紙を搬送する。前記画像形成部は、導体インクを吐出して前記搬送部により搬送される用紙にアンテナを印刷する。
【発明の効果】
【００１０】
本発明によれば、使い捨てにできるほど、極めて簡易、安価にアンテナを得ることができる。
【図面の簡単な説明】
【００１１】
【図１】実施形態に係る複合機の一例を示す図である。
【図２】実施形態に係る複合機の一例を示す図である。
【図３】実施形態に係る複合機でのインクの吐出制御機構の一例を示す図である。
【図４】実施形態に係る複合機での選択された周波数に基づくアンテナの印刷の流れの一例を示すフローチャートである。
【図５】各周波数の振幅を表示する構成の一例を示す図である。
【図６】実施形態に係る周波数選択画面の一例を示す図である。
【図７】実施形態に係るアンテナ印刷設定画面の一例を示す図である。
【図８】印刷されたアンテナの一例を示す図である。
【図９】印刷されたアンテナの一例を示す図である。
【図１０】実施形態に係る複合機での数値入力モードの流れの一例を示すフローチャートである。
【図１１】実施形態に係る数値入力画面の一例を示す図である。
【図１２】実施形態に係る複合機での機器選択モードの流れの一例を示すフローチャートである。
【図１３】実施形態に係る機器選択画面の一例を示す図である。
【発明を実施するための形態】
【００１２】
以下、図１〜図１３に基づき、本発明の実施形態を説明する。以下では、ライン式の固定のラインヘッド７を有するインクジェット方式の複合機１００を画像形成装置として例に挙げて説明する。
【００１３】
（複合機１００の概要）
まず、図１及び図２を用いて、実施形態に係る複合機１００の概要を説明する。図１、図２は、実施形態に係る複合機１００の一例を示す図である。
【００１４】
まず、複合機１００には、印刷動作を制御するため、制御部１が設けられる。制御部１は、ＣＰＵ１１や画像処理部１２を含む。ＣＰＵ１１は、記憶部２に記憶される制御プログラムや制御データに基づき演算、処理を行う。記憶部２は、ＲＯＭ、ＨＤＤ、フラッシュＲＯＭのような不揮発性の記憶装置と、ＲＡＭのような揮発性の記憶装置を含む。画像処理部１２は、印刷に用いる画像データに対し、画像処理を行う。
【００１５】
複合機１００は、原稿を読み取って画像データを生成するスキャナー３を含む。操作パネル４にコピーの実行指示がなされたとき、制御部１は、原稿を読み取ってスキャナー３が生成した画像データに基づく印刷を画像形成部６に行わせる。
【００１６】
複合機１００は、操作パネル４を含む。操作パネル４は、設定画面や情報を表示するための表示パネル４１を含む。また、表示パネル４１へのタッチ操作を検知するためのタッチパネル４２が設けられる。制御部１は、タッチパネル４２の出力に基づき、表示パネル４１に表示されたキー、ボタン、タブのような操作用画像への操作がなされたことを認識する。
【００１７】
又、図１、図２に示すように、複合機１００は、用紙を搬送する搬送部５と、搬送される用紙にインクを吐出して画像形成（印刷）を行う画像形成部６を含む。搬送部５は、用紙を搬送し、印刷後の用紙を機外に排出する。搬送部５は給紙トレイ５１、給紙ローラー対５２、搬送ベルト５３、駆動ローラー５４、従動ローラー５５、ベルトモーター５６、排出ローラー対５７、排出トレイ５８、エンコーダー５９、用紙センサー５１０を含む。画像形成部６は、複数本のラインヘッド７（７ａ、７ｂ、７ｃ、７ｄ）を含む。各ラインヘッド７は、インクを吐出する複数のノズル７０を含む。
【００１８】
図２に示すように、用紙を収容する給紙トレイ５１が設けられる。この給紙トレイ５１の用紙搬送方向下流側端部に、給紙ローラー対５２が設けられる。給紙ローラー対５２は、給紙モーター（不図示）により回転する。印刷を行うとき、制御部１は、給紙モーターを回転させ、最上位の用紙から順に一枚ずつ、搬送ベルト５３に向けての給紙を給紙ローラー対５２に行わせる。
【００１９】
給紙ローラー対５２の用紙搬送方向下流側（図１において右側）に、搬送ベルト５３が配される。搬送ベルト５３は、駆動ローラー５４と、駆動ローラー５４と軸線が平行な従動ローラー５５に張架される。駆動ローラー５４には、ベルトモーター５６からの駆動力が伝達される。印刷時、制御部１は、ベルトモーター５６を回転させ、駆動ローラー５４を回転させる。これにより、搬送ベルト５３上の用紙は、矢印Ｘの方向に搬送される。
【００２０】
また、搬送ベルト５３の用紙搬送方向下流側に、画像が印刷された用紙を排出する排出ローラー対５７が設けられる。排出ローラー対５７は、排出モーター（不図示）により回転する。印刷時、制御部１は、排出モーターを回転させ、排出ローラー対５７を回転させる。排出ローラー対５７から排出される用紙は、排出トレイ５８が受け止める。
【００２１】
搬送ベルト５３に対し、エンコーダー５９が設けられる。エンコーダー５９は、搬送ベルト５３を張架する駆動ローラー５４に接続される。エンコーダー５９は、駆動ローラー５４の回転軸の回転変位量に応じてパルスを出力する（例えば、一定角度ごとに１パルスを出力。角度は任意に設定可能）。駆動ローラー５４の一定角度の回転の間の搬送ベルト５３の移動距離は一定である。制御部１は、エンコーダー５９から送信されるパルスの周期が予め定められた周期となるように、一定速度でベルトモーター５６を回転させる。これにより、搬送ベルト５３の周回速度（用紙搬送速度）が一定となる。制御部１は、各色のインクの吐出位置がずれないように、各ラインヘッド７に設けられたインクの吐出を制御する各ドライバー７１（詳細は後述）に制御信号を出力する。
【００２２】
又、搬送ベルト５３に対し、用紙センサー５１０が設けられる。用紙センサー５１０は各ラインヘッド７での画像の印刷開始タイミングを計るためのセンサーである。用紙センサー５１０は、光センサーであり、検知領域に用紙が存在するときと、存在しないときで出力が変化する。用紙センサー５１０の出力は、制御部１に入力される。用紙センサー５１０と各ラインヘッド７のノズル７０の位置までの距離と用紙の搬送速度に基づき、制御部１は、ラインヘッド７ごとに時間を計時する。ラインヘッド７ごとに定められた時間を計時したとき、制御部１は、各ラインヘッド７にインク吐出指示を与える。各ラインヘッド７は、インク吐出指示に基づき、インクの吐出を開始する。これにより、インクがずれなく各画素に着弾する。吸着部５１１は、制御部１からの出力信号に基づき、給紙側の従動ローラー５５に電圧を印加して、搬送ベルト５３に用紙を静電吸着させる。静電吸着の解除は、制御部１の指示に基づき、吸着部５１１が接地を行うことにより行われる。
【００２３】
そして、搬送ベルト５３の上方には、ラインヘッド７（７ａ、７ｂ、７ｃ、７ｄ）が４本配される。各ラインヘッド７と搬送ベルト５３の間には、所定の長さの隙間（例えば、１ｍｍ程度）が設けられる。各ラインヘッド７は、搬送ベルト５３上で搬送される用紙にインクを吐出して画像の印刷を行う。ラインヘッド７ごとに、印刷に用いるインクを供給するインクタンク８（８ａ、８ｂ、８ｃ、８ｄ）が設けられる。
【００２４】
アンテナ９を用紙に印刷するとき、４本のラインヘッド７のうち、少なくとも１つのラインヘッド７に導体インクを収容するインクタンク８が取り付けられる。図１、図２では、用紙搬送方向の最も上流側のラインヘッド７ａに対し、導体インクを収容するインクタンク８ａを取り付ける例を図示している。導体インクは、適度な粘度の溶液と銀のような導電体（導電性金属）の微粒子とを混ぜたものである。導電体の微粒子は、ノズル７０で詰まりが生じない程度の粒径である。用紙のうち、導体インクが吐出された部分に導電性金属が残る。制御部１は、アンテナ９を形成するように導体インクをラインヘッド７（７ａ）に吐出させることにより、用紙にアンテナ９が印刷される。
【００２５】
また、アンテナ９を用紙に印刷するとき、４本のラインヘッド７のうち、導体インクを収容するインクタンク８ａを取り付けたラインヘッド７ａ以外のラインヘッド７に、抵抗体インクを収容するインクタンク８（８ｂ）が取り付けられる。図１、図２では、用紙搬送方向上流側からみて、２番目のラインヘッド７ｂに、抵抗体インクを収容するインクタンク８ｂを取り付ける例を図示している。抵抗体インクは、適度な粘度の溶液とカーボンブラックのような微粒子とを混ぜたものである。抵抗体の微粒子は、ノズル７０で詰まりが生じない程度の粒径である。制御部１は、抵抗素子を形成するように抵抗体インクをラインヘッド７に吐出させる。
【００２６】
なお、アンテナ９を印刷しないとき、導体インクを収容するインクタンク８ａと、抵抗体インクを収容するインクタンク８ｂを取り外し、他のインクを収容するインクタンク８を取り付けても良い。例えば、用紙搬送方向上流側のラインヘッド７から順に、シアンのインクを収容するインクタンク８、マゼンタのインクを収容するインクタンク８、イエローのインクを収容するインクタンク８、ブラックのインクを収容するインクタンク８を取り付けてもよい。これにより、複合機１００（画像形成部６）にフルカラー印刷を行わせることもできる。
【００２７】
各ラインヘッド７ａ、７ｂ、７ｃ、７ｄは、用紙搬送方向と直交する方向に並べられた複数のノズル７０を有する。ノズル７０からは、取り付けられたインクタンク８に対応するインクが吐出される。制御部１は、各ラインヘッド７と接続され、各ラインヘッド７に動作指示を行う。
【００２８】
画像処理部１２は、各ラインヘッド７に設けられるドライバー７１に画像データを送信する。画像処理部１２は、画像処理専用回路としてのＡＳＩＣや、画像データを記憶する画像メモリーを含む。尚、画像処理部１２が行える画像処理は多岐にわたり、画像処理部１２は、公知の画像処理を行えるものとして、各画像処理の内容の説明は省略する。
【００２９】
又、制御部１は、通信部１３と接続される。通信部１３は、ＰＣやサーバーのようなコンピューター２００と通信する。通信部１３は各種コネクタ、ソケット、通信制御用の回路を含む。制御部１は、コンピューター２００から印刷開始命令や、画像データの送信を受けると、搬送部５２や、画像形成部６としての各ラインヘッド７を駆使し、印刷を行わせる。
【００３０】
（インクの吐出制御）
次に、図３を用いて、実施形態に係る複合機１００でのインクの吐出制御の一例を説明する。図３は、実施形態に係る複合機１００でのインクの吐出制御機構の一例を示す図である。
【００３１】
図３に示すように、各ラインヘッド７（７ａ、７ｂ、７ｃ、７ｄ）は、複数のノズル７０と、各ノズル７０に対して１つの圧電素子７２と、各圧電素子７２への電圧のＯＮ／ＯＦＦを行ってインクの吐出を実際に制御する複数のドライバー７１を含む。なお、図３では、便宜上、複数のラインヘッド７のうち、１つのラインヘッド７ａのみ、内部の一部を図示している。しかし、各ラインヘッド７の構成は、基本的に同様である。
【００３２】
各ノズル７０は、エッチングや金属板への穿孔により、均等な間隔となるように形成される。そして、各ノズル７０に対し、ピエゾ素子、ＰＺＮのような圧電素子７２が設けられる。ドライバー７１は、画像データにあわせ、管轄する各圧電素子７２のうち、インクを吐出させる圧電素子７２に電圧を印加する。制御部１は、主走査方向（用紙搬送方向に対し垂直な方向）にのびる１ライン単位で画像データを各ドライバー７１に送信する。ドライバー７１は、この画像データに基づき、インクを吐出すべきノズル７０に対応する圧電素子７２に電圧を印加する。圧電素子７２は電圧印加により形状が変形し、ノズル７０にインクを供給する流路（不図示）に圧力を与えられ、流路に対する圧力が伝搬し、ノズル７０からインクが吐出される。
【００３３】
（選択された周波数に基づくアンテナ９の印刷）
次に、図４〜図９を用いて、実施形態に係る複合機１００での選択された周波数に基づくアンテナ９の印刷の流れの一例を説明する。図４は、実施形態に係る複合機１００での選択された周波数に基づくアンテナ９の印刷の流れの一例を示すフローチャートである。図５は、各周波数の振幅を表示する構成の一例を示す図である。図６は、実施形態に係る周波数選択画面４ａの一例を示す図である。図７は、実施形態に係るアンテナ印刷設定画面４ｂの一例を示す図である。図８、図９は、印刷されたアンテナ９の一例を示す図である。
【００３４】
実施形態に係る複合機１００では、導体インクを吐出して搬送部５により搬送される用紙にアンテナ９を画像形成部６に印刷させることができる。アンテナ９の印刷に関するモードとして、周波数選択モード、数値入力モード、機器選択モードが設けられる。まず、図４〜図６を用いて、表示したグラフの中から選択された周波数に基づいてアンテナ９の印刷を行う周波数選択モードを説明する。
【００３５】
操作パネル４に所定の操作を行うことにより、複合機１００（制御部１）を周波数選択モードとすることができる。図４のスタートは、複合機１００（制御部１）が周波数選択モードとされた時点である。
【００３６】
まず、制御部１は、計測機器１４又は携帯計測機器１５で計測された電磁波の各周波数の振幅（電力）を示すグラフを含む周波数選択画面４ａを表示パネル４１に表示させる（ステップ♯１１）。
【００３７】
図５、図６を用いて電磁波の各周波数の振幅（電力）を示すグラフの表示に関する構成を説明する。図５に示すように、周囲を飛び交う電磁波の状況を計測する計測機器１４を複合機１００に設けてもよい。計測機器１４は、周囲を飛び交う電磁波を周波数ドメインで解析し、横軸を周波数、縦軸を振幅（電力）または電圧とする二次元のグラフを画面に表示するため計測結果データを生成するスペクトル分析部１４１を含む。
【００３８】
計測機器１４は、生成された計測結果データ（各周波数の振幅の大きさを示すデータ）を制御部１に入力する。図６に示すように、制御部１は、計測結果データＤ２に基づき、計測機器１４で計測可能な最小周波数から計測可能な最大周波数までの各周波数の振幅（電力）を周波数選択画面４ａ内のグラフ表示領域Ａ１に表示させる。図６の周波数選択画面４ａ内のグラフでの横軸は、周波数であり、縦軸は振幅（電力）である。
【００３９】
また、図５に示すように、通信部１３に周囲を飛び交う電磁波の状況を計測する携帯計測機器１５の計測結果（計測結果データＤ３）を受信させ、受信した計測結果データＤ３に基づき、電磁波の各周波数の振幅（電力）を示すグラフを表示してもよい。携帯計測機器１５は、周囲を飛び交う電磁波を周波数ドメインで解析し、横軸を周波数、縦軸を振幅（電力）または電圧とする二次元のグラフを画面に表示するため計測結果データを生成するスペクトル分析部１５１を含む。携帯計測機器１５は、電磁波の各周波数の振幅を計測する専用の計測器でもよい。また、携帯計測機器１５として、電磁波の各周波数の振幅を計測するためのアプリケーションをインストールしたノート型ＰＣ、スマートフォン、タブレットコンピューターのような携帯型コンピューターを用いてもよい。
【００４０】
通信部１３は、無線通信又は有線通信により、携帯計測機器１５から計測結果データＤ３を受信する。制御部１は、計測結果データＤ３に基づき、携帯計測機器１５で計測可能な最小周波数から計測可能な最大周波数までの各周波数の振幅（電力）を周波数選択画面４ａ内のグラフ表示領域Ａ１に表示させる。
【００４１】
計測機器１４や携帯計測機器１５により計測できる周波数の幅は異なる。周波数選択画面４ａに表示されるグラフは、計測機器１４又は携帯計測機器１５により計測できる周波数の幅に応じたグラフとなる。
【００４２】
操作パネル４は表示パネル４１に表示された各周波数のうち周波数を選択する入力を受け付ける（ステップ♯１２）。グラフ表示領域Ａ１をタッチすることにより、周波数を選択することができる。制御部１は、タッチパネル４２の出力に基づき、グラフ表示領域Ａ１のうちタッチされた位置（座標）を認識する。制御部１は、タッチ位置に対応する周波数を選択された周波数と認識する。
【００４３】
図６では、最も振幅が高い部分（グラフの最も振幅が大きくなっている部分）がタッチされた例を示している。図６のグラフでは横軸が周波数を示す。制御部１は、タッチ位置を通る上下方向の直線と横軸の交点を認識し、横軸における交点に対応する周波数を選択された周波数と認識する。
【００４４】
続いて、制御部１は、操作パネル４で選択された周波数に応じて効率よく電磁波を受信できるアンテナ９の長さを決定する（ステップ♯１３）。ここで、効率がよいアンテナ９の長さとは、選択された周波数の電磁波の受信の効率が予め定められた値以上となるような、あるいは、効率が最大となるような（最大電力を受信できるような）長さとできる。
【００４５】
どのタイプのアンテナ９を印刷するかにより、アンテナ９の長さは変わる。本実施形態では、折り返しダイポールアンテナを印刷する例を説明する。なお、通常のダイポールアンテナのような他種のアンテナ９を印刷するようにしてもよい。
【００４６】
折り返しダイポールアンテナでは、電磁波の波長λに対し、アンテナ９の長さはλ／２のとき受信できる電力が最大となる。例えば、選択された周波数が８００ＭＨｚのとき、λは約３７５ｍｍなので、λ／２は約１８８ｍｍとなる。例えば、制御部１は、選択された周波数のλ／２をアンテナ９の長さと決定する。
【００４７】
そして、アンテナ９の印刷前に、制御部１は、アンテナ印刷設定画面４ｂを表示パネル４１に表示させ、操作パネル４は、アンテナ９の印刷に関する設定を受け付ける（ステップ♯１４）。
【００４８】
図７は、アンテナ印刷設定画面４ｂの一例を示す。まず、制御部１は、これから印刷しようとする用紙のプレビュー画像であるアンテナプレビュー画像Ｐ１をアンテナ印刷設定画面４ｂ内に表示させる。制御部１は、アンテナ印刷設定画面４ｂでの設定に応じて、表示するアンテナプレビュー画像Ｐ１を切り替える。
【００４９】
図７に示すように、操作パネル４は、印刷するアンテナ９の位置を定める入力を受け付ける。制御部１は、用紙に印刷しようとするアンテナ９の位置を示すアンテナプレビュー画像Ｐ１を表示パネル４１に表示させる。使用者は、アンテナ９を示す画像をタッチし、タッチ位置をずらす操作により（ドラッグ操作により）、印刷するアンテナ９の位置を設定することができる。これにより、所望の位置にアンテナ９を印刷することができる。制御部１は、タッチパネル４２の出力に基づき、位置を設定する操作を認識し、印刷するアンテナ９の位置を認識する。
【００５０】
例えば、アンテナ９の印刷位置を下方向にずらし、図７に破線で示す位置に印刷位置をずらす場合、アンテナ９をタッチした後、ドラッグ操作により下方向にタッチ位置をスライドさせる。
【００５１】
また、アンテナ印刷設定画面４ｂには、アンテナ追加キーＫ１とアンテナ減少キーＫ２が設けられる。使用者は、印刷するアンテナ９の個数を増やしたいとき、アンテナ追加キーＫ１を操作する。使用者は、印刷するアンテナ９の個数を減らしたいとき、アンテナ減少キーＫ２を操作する。なお、ゼロにはできない。操作パネル４は、アンテナ印刷設定画面４ｂで印刷するアンテナ９の個数を定める入力を受け付ける。制御部１は、タッチパネル４２の出力に基づき、アンテナ９の個数を設定する操作を認識し、印刷すべきアンテナ９の個数を認識する。また、制御部１は、設定された数のアンテナ９を含むアンテナプレビュー画像Ｐ１を表示パネル４１に表示させる。
【００５２】
また、アンテナ印刷設定画面４ｂには、負荷ありキーＫ３と負荷なしキーＫ４が設けられる。使用者は、負荷ありキーＫ３と負荷なしキーＫ４により、アンテナ９の端子部分とつながる位置に設けられた抵抗体である抵抗負荷パターン９１を抵抗体インクにより形成するか否かを設定することができる（図８、図９参照）。制御部１は、抵抗負荷パターン９１を、抵抗体インクを収容するインクタンク８ｂが接続されたラインヘッド７ｂ（画像形成部６）に形成させ得る。抵抗負荷パターン９１に電流が流れることにより、エネルギーが消費され、電磁波を吸収することができる。なお、制御部１は、アンテナ９の入力インピーダンスと同じインピーダンス（抵抗値）となるように抵抗負荷パターン９１を形成する。
【００５３】
使用者は、抵抗負荷パターン９１を形成したいとき、負荷ありキーＫ３を操作する。使用者は、抵抗負荷パターン９１を形成したくないとき、負荷なしキーＫ４を操作する。操作パネル４は、アンテナ印刷設定画面４ｂで抵抗負荷パターン９１を形成するか否かを定める入力を受け付ける。制御部１は、タッチパネル４２の出力に基づき、抵抗負荷パターン９１を印刷すべきか否かを認識する。また、制御部１は、抵抗負荷パターン９１の設定に応じたアンテナプレビュー画像Ｐ１を表示パネル４１に表示させる。
【００５４】
また、制御部１は、導体インクのライン（ケーブル９２のパターン）を、導体インクを収容するインクタンク８が接続されたラインヘッド７（画像形成部６）に形成させ得る。アンテナ印刷設定画面４ｂには、ケーブル追加キーＫ５とケーブル減少キーＫ６が設けられる。使用者は、ケーブル追加キーＫ５とケーブル減少キーＫ６により、アンテナ９を印刷した用紙にケーブル９２を印刷するか否か、及び、印刷するときには、その本数を設定することができる（図８、図９参照）。なお、ケーブル９２は、アンテナ９を印刷する用紙とは別の用紙に印刷してもよい。
【００５５】
例えば、印刷したケーブル９２の一端を抵抗負荷パターン９１に貼り付け、他端をグランドにつながるものに貼り付けることにより、アンテナ９をグランドに接続することができる。このように電流をグランドに流し込むためのケーブル９２を容易に得ることができる。例えば、窓にアンテナ９を印刷した用紙を貼り付けるとき、窓の金属サッシに紙のケーブル９２の一端を接続し、他端を抵抗負荷パターン９１に接続する。
【００５６】
使用者は、印刷するケーブル９２の本数を増やしたいとき、ケーブル追加キーＫ５を操作する。使用者は、印刷するケーブル９２の本数を減らしたいとき、ケーブル減少キーＫ６を操作する。ケーブル９２は、ゼロにすることもできる。操作パネル４は、印刷するケーブル９２の本数を定める入力を受け付ける。制御部１は、タッチパネル４２の出力に基づき、印刷するケーブル９２の本数を認識する。また、アンテナ９と同じ用紙にケーブル９２を印刷するとき、制御部１は、設定された数のケーブル９２を含むアンテナプレビュー画像Ｐ１を表示パネル４１に表示させる。
【００５７】
そして、各種設定の後、使用者により操作パネル４にアンテナ９の印刷の実行指示がなされたとき、制御部１は、決定した長さがアンテナ９を印刷しようとする用紙よりも長いか否かを確認する（ステップ♯１５）。
【００５８】
制御部１は、給紙トレイ５１にセットされた用紙の大きさを定める操作パネル４での設定に基づき、アンテナ９を印刷しようとする用紙の長さを認識する。また、操作パネル４に周波数選択モードとする入力がなされたとき、制御部１は、用紙のサイズ（長さ）を設定する画面を表示し、その画面で設定された長さを、アンテナ９を印刷しようとする用紙の長さと認識してもよい。また、給紙トレイ５１に用紙のサイズを検知するための用紙サイズセンサー（不図示）を設け、制御部１は、用紙サイズセンサーの出力に基づき、アンテナ９を印刷しようとする用紙の長さを自動的に認識してもよい。
【００５９】
決定した長さが用紙の長さ（長手方向の長さ）以下のとき（ステップ♯１５のＮｏ）、制御部１は、決定した長さのアンテナ９を画像形成部６に印刷させる（ステップ♯１６）。そして、本フローは終了する（エンド）。図８は、アンテナ９が印刷された１枚の用紙を示す。図８は、１枚の用紙に３つのアンテナ９を印刷する例を示す。なお、印刷するアンテナ９は、１つでもよい。制御部１は、ステップ♯１４で設定された数のアンテナ９を用紙に印刷させる。
【００６０】
また、図８は、各アンテナ９に抵抗負荷パターン９１を印刷し、アンテナ９を印刷した用紙にケーブル９２を印刷する例を示している。なお、図８では、制御部１がケーブル９２を切り取るための切り取り線を２点鎖線で画像形成部６に印刷させる例を示している。このように、ケーブル９２を印刷するとき、制御部１は、画像形成部６に切り取り線を印刷させてもよい。なお、抵抗負荷パターン９１を印刷せず、アンテナ９の各端子を直接、グランドに接続してもよい。この場合、用紙に２本のケーブル９２を必ず印刷するようにしてもよい。
【００６１】
決定した長さが用紙の長さよりも長いとき（ステップ♯１５のＹｅｓ）、制御部１は、所定枚数以内でアンテナ９を印刷できるか否かを確認する（ステップ♯１７）。選択した周波数によっては、決定した長さ（λ／２）がかなり長くなることがある。決定した長さのアンテナ９を印刷するのに、あまりに多くの用紙を使うことは好ましくない。また、印刷しても、長すぎるアンテナ９は壁や窓に貼り付けられない。操作パネル４は、所定枚数の設定を受け付けるようにしてもよい。制御部１は、操作パネル４での設定に基づき、所定枚数を認識する。
【００６２】
所定枚数以内で印刷できるとき（ステップ♯１７のＹｅｓ）、制御部１は、複数枚の用紙にわたって決定した長さのアンテナ９を印刷する（ステップ♯１８）。そして、本フローは終了する（エンド）。
【００６３】
図９は、３枚の用紙にわたってアンテナ９を印刷した例を示している。なお、印刷するアンテナ９は、１つでもよい。ステップ♯１４の操作パネル４での設定に応じ、３つのアンテナ９を用紙に印刷した例を示している。なお、図９では、各アンテナ９に抵抗負荷パターン９１を印刷した例を示している。また、図９では、各用紙にケーブル９２も印刷する例を示している。
【００６４】
ステップ♯１７によりアンテナ９が印刷されたとき、１つのアンテナ９が複数に分割されて印刷されることになる。複数枚の用紙を隣り合わせにして組み合わせ、隣り合う用紙のうち一方の用紙のアンテナ９の端と、他方の用紙のアンテナ９の端をつなげることにより、アンテナ９が完成する。用紙を壁や窓に貼り付けるとき、使用者は、まず、用紙と用紙を隣あわせにして用紙を貼り付ける。そして、使用者は、導電テープのような導電体を用いて分割されたアンテナ９同士を接続する。また、分割されたアンテナ９同士の接続に、印刷したケーブル９２を用いてもよい。この場合、一方の用紙のアンテナ９の端部と他方の用紙のアンテナ９の端部をつなぐように短く切断したケーブル９２を貼り付ける。被せるようにケーブル９２を貼り付ければよい。
【００６５】
一方、所定枚数以内で印刷できないとき（ステップ♯１７のＹｅｓ）、制御部１は、所定枚数以内で印刷できない旨を表示パネル４１に表示させる（ステップ♯１９）。そして、本フローは終了する（エンド）。使用者は、本フローを最初からやり直し、選択する周波数を変えることにより、アンテナ９が印刷された用紙を得ることができる。
【００６６】
（数値入力モード）
次に、図１０、図１１を用いて、実施形態に係る複合機１００の数値入力モードを説明する。図１０は、実施形態に係る複合機１００での数値入力モードの流れの一例を示すフローチャートである。図１１は実施形態に係る数値入力画面４ｃの一例を示す図である。
【００６７】
数値入力モードは、受信したい周波数の値を直接的に入力し、入力された周波数に応じた長さのアンテナ９を印刷するモードである。値を入力して周波数を選択するので、所望の周波数に対応したアンテナ９を印刷することができる。これにより、使用者が受信したい周波数の電磁波（電波）を受信できるアンテナ９を容易に得ることができる。
【００６８】
操作パネル４に所定の操作を行うことにより、複合機１００（制御部１）を数値入力モードとすることができる。図１０のスタートは、複合機１００（制御部１）が数値入力モードとされた時点である。
【００６９】
数値入力モードとなったとき、制御部１は、数値入力画面４ｃを表示パネル４１に表示させる（ステップ♯２１）。操作パネル４は、数値入力画面４ｃで周波数の値の入力操作を受け付ける。
【００７０】
図１１は、数値入力画面４ｃの一例を示す図である。数値入力画面４ｃ内の周波数入力欄Ｃ１がタッチされると、制御部１は、数値を入力するためのソフトウェアキーボードを表示パネル４１に表示させる。操作パネル４は周波数の入力（数値入力）を受け付ける（ステップ♯２２）。制御部１は、数値入力された周波数を選択された周波数と認識する。
【００７１】
以後、周波数選択モードのときと同様の処理が行われる。図１０のフローチャートのステップ♯２３〜ステップ♯２９は、周波数選択モードのときと同様に説明でき、その説明を援用するものとして説明を省略する。
【００７２】
（機器選択モード）
次に、図１２、図１３を用いて、実施形態に係る複合機１００での機器選択モードを説明する。図１２は、実施形態に係る複合機１００での機器選択モードの流れの一例を示すフローチャートである。図１３は、実施形態に係る機器選択画面４ｄの一例を示す図である。
【００７３】
機器選択モードは、電磁波を吸収するためアンテナ９が印刷された用紙を貼り付ける機器を選択し、選択した機器に応じたアンテナ９のパターンを印刷するモードである。操作パネル４に所定の操作を行うことにより、複合機１００（制御部１）を機器選択モードとすることができる。図１２のスタートは、複合機１００（制御部１）が機器選択モードとされた時点である。
【００７４】
機器の種類は、機器選択画面４ｄで選択することができる。機器選択モードとなったとき、制御部１は、機器選択画面４ｄを表示パネル４１に表示させる（ステップ♯３１）。操作パネル４は、機器選択画面４ｄでの機器の種類を選択する操作を受け付ける。
【００７５】
図１３は、機器選択画面４ｄの一例を示す図である。図１３では、ＰＣやディスプレイを機器として選択できる画面の一例を示している。なお、ＰＣやディスプレイ以外の機器を選択できるようにしてもよい。機器選択画面４ｄに表示された機器選択画像Ｋ７、Ｋ８、Ｋ９をタッチすることにより、機器を選択することができる。制御部１は、操作パネル４（タッチパネル４２）の出力に基づき、選択された機器の種類を認識する（ステップ♯３２）。
【００７６】
記憶部２は、アンテナ９が印刷された用紙を貼り付けて電磁波を吸収しようとする機器の種類ごとに印刷するアンテナ９のパターンを定めたパターンデータＤ１を記憶する（図１参照）。いいかえると、機器の種類ごとに、アンテナ９のパターンが予め定められている。
【００７７】
また、機器の種類に応じてアンテナ９のタイプや長さが異なっていてもよい。また、印刷する用紙のサイズが異なっていてもよい。また、実験に基づき、機器の種類に応じたアンテナ９のパターンを定めてもよい。
【００７８】
制御部１は、パターンデータＤ１に基づき、操作パネル４で選択された機器の種類に対応するパターンのアンテナ９を画像形成部６に印刷させる（ステップ♯３３）。そして、本フローは終了する（エンド）。
【００７９】
このようにして、実施形態に係る画像形成装置（複合機１００）は、操作パネル４、搬送部５（給紙トレイ５１、給紙ローラー対５２、搬送ベルト５３、駆動ローラー５４、従動ローラー５５、ベルトモーター５６、排出ローラー対５７、排出トレイ５８、エンコーダー５９、用紙センサー５１０）、画像形成部６を含む。搬送部５は、用紙を搬送する。画像形成部６は、導体インクを吐出して搬送部５により搬送される用紙にアンテナ９を印刷する。
【００８０】
これにより、印刷するだけで、簡易、安価にアンテナ９を得ることが出来る。再印刷するだけでアンテナ９を再び得ることができ、アンテナ９を使い捨てすることも可能となる。また、アンテナ９が印刷された用紙を壁や窓に貼るだけで室内を飛び交う不要な電磁波（電波）を吸収することができる。また、実験用や計測用のエリアや装置のような余計な電磁波の進入を防ぎたい部分の周りに印刷物を貼り付けるだけで、進入する電磁波を減らすことができる。
【００８１】
また、どのような悪影響があるかは明確となっていない部分も多いが、電磁波が人体に何らかの悪影響を及ぼすのでは、と気にする人もいる。アンテナ９が印刷された用紙を貼り付ければ機器から発せられる電磁波を吸収できるので、そのような人は、ディスプレイ、ＰＣ、家電機器のような機器にアンテナ９が印刷された用紙を貼り付ければよい。これにより、人体への電磁波の影響を気にする人に安心感を与えることができる。
【００８２】
また、画像形成装置は、周囲を飛び交う電磁波の状況を計測する計測機器１４を含む。操作パネル４は、計測機器１４の計測に基づき、電磁波の各周波数の振幅を表示する表示パネル４１を含む。操作パネル４は表示パネル４１に表示された各周波数のうち何れかの周波数を選択する入力を受け付ける。更に、操作パネル４で選択された周波数に対応するアンテナ９の長さを決定し、決定した長さのアンテナ９を画像形成部６に印刷させる制御部１を含む（周波数選択モード）。
【００８３】
これにより、使用者は、飛び交っている電磁波の計測結果を確認してから、アンテナ９により受信、吸収する電磁波の周波数を選択できる。そして、使用者は、選択した周波数の電磁波を効率よく受信、吸収するアンテナ９を得られる。例えば、計測機器１４で計測された各周波数の電磁波のうち、振幅（電力）が大きい周波数を選択し、選択した周波数の電磁波を効率よく受信、吸収するアンテナ９を得ることができる。
【００８４】
また、実施形態に係る画像形成装置は、通信相手と通信を行う通信部１３を含む。通信部１３は、周囲を飛び交う電磁波の状況を計測する携帯計測機器１５の計測結果を受信する。操作パネル４は、携帯計測機器１５で計測に基づき、電磁波の各周波数の振幅を表示する表示パネル４１を含む。操作パネル４は表示パネル４１に表示された各周波数のうち何れかの周波数を選択する入力を受け付ける。更に、画像形成装置は、操作パネル４で選択された周波数に対応するアンテナ９の長さを決定し、決定した長さのアンテナ９を画像形成部６に印刷させる制御部１を含む（周波数選択モード）。
【００８５】
これにより、使用者は、飛び交っている電磁波の計測結果を確認してから、アンテナ９により受信し吸収する電磁波の周波数を選択できる。そして、選択した周波数の電磁波を効率よく受信、吸収するアンテナ９を得ることができる。例えば、計測機器１４で計測された各周波数の電磁波のうち、振幅（電力）が大きい周波数を選択し、選択した周波数の電磁波を効率よく受信、吸収するアンテナ９を得ることができる。
【００８６】
また、画像形成部６は、決定したアンテナ９の長さがアンテナ９を印刷する用紙よりも長いとき、複数枚の用紙にわたって決定した長さのアンテナ９を印刷する。決定したアンテナ９の長さが１枚の用紙よりも長くても、複数枚の用紙を用いて（複数枚にわたって）アンテナ９を印刷するので、選択した周波数の電磁波を効率よく受信、吸収するアンテナ９を得ることができる。
【００８７】
また、実施形態に係る画像形成装置は、機器の種類ごとに、アンテナ９が印刷された用紙を貼り付けて電磁波を吸収するためのアンテナ９のパターンを定めたパターンデータＤ１を記憶する記憶部２を含む。操作パネル４は、機器の種類の選択を受け付ける。画像形成部６は、パターンデータＤ１に基づき、操作パネル４で選択された機器の種類に対応するパターンのアンテナ９を印刷する（機器選択モード）。これにより、使用者は、電磁波を吸収したい機器を選択するだけで、選択した機器に適した（効率よく電磁波を吸収できる）アンテナ９が印刷された用紙を得られる。
【００８８】
また、画像形成部６は、抵抗体インクを用いてアンテナ９の端部とつながる位置に抵抗負荷パターン９１を形成する。これにより、導体インクによるアンテナ９で受信された電磁波に基づく電流を抵抗負荷パターン９１に流すことにより、電磁波のエネルギーを熱に変換することができる。これにより、不要な電磁波を吸収すること出来る。
【００８９】
また、画像形成部６は、アンテナ９を印刷したとき、アンテナ９を印刷した用紙又は別の用紙に、グランドに接続するためのケーブル９２を、導体インクを用いて印刷する。これにより、受信された電磁波に基づくアンテナ９の電流をグランドに流し込むことができる。また、グランドまでの距離が遠くても、用紙に印刷されたケーブル９２を貼り付けるだけでアンテナ９とグランドを接続することができる。また、ケーブル９２が印刷された用紙を貼り合わせるだけで、ケーブル９２を延長することもできる。
【００９０】
また、操作パネル４は、アンテナ９を印刷する位置を定める設定を受け付ける。画像形成部６は、操作パネル４で設定された位置にアンテナ９を印刷する。これにより、透明なシートにアンテナ９を印刷することができる。機器に貼り付けても、透明で目立ちにくい電磁波の吸収シート（アンテナ９）を得られる。
【００９１】
また、搬送部５は、用紙の代わりに透明シートを搬送する。画像形成部６は、導体インクを吐出して搬送部５により用紙に変えて搬送される透明シートにアンテナ９を印刷する。これにより、機器に貼り付けたときに目立たないような位置にアンテナ９を印刷することができる。
【００９２】
以上、本発明の実施形態について説明したが、本発明の範囲はこれに限定されるものではなく、発明の主旨を逸脱しない範囲で種々の変更を加えて実施することができる。
【００９３】
例えば、用紙にアンテナを形成する例を説明した。しかし、画像形成装置が搬送し、印刷する対象は、セロファンのような透明なシートでもよく、用紙に限られない。
【符号の説明】
【００９４】
１００  複合機（画像形成装置）          １      制御部
１３    通信部                          １４    計測機器
１５    携帯計測機器                    ２      記憶部
４      操作パネル                      ４１    表示パネル
５      搬送部                          ５１    給紙トレイ（搬送部）
５２    給紙ローラー対（搬送部）        ５３    搬送ベルト（搬送部）
５４    駆動ローラー（搬送部）          ５５    従動ローラー（搬送部）
５６    ベルトモーター（搬送部）        ５７    排出ローラー対（搬送部）
５８    排出トレイ（搬送部）            ５９    エンコーダー（搬送部）
５１０  用紙センサー（搬送部）          ６      画像形成部
９      アンテナ                        ９１    抵抗負荷パターン
９２    ケーブル                        Ｄ１    パターンデータ
【図１】
2017195526.tif 000003
【図２】
2017195526.tif 000004
【図３】
2017195526.tif 000005
【図４】
2017195526.tif 000006
【図５】
2017195526.tif 000007
【図６】
2017195526.tif 000008
【図７】
2017195526.tif 000009
【図８】
2017195526.tif 000010
【図９】
2017195526.tif 000011
【図１０】
2017195526.tif 000012
【図１１】
2017195526.tif 000013
【図１２】
2017195526.tif 000014
【図１３】
2017195526.tif 000015